(57)【要約】【課題】温度変化によって、屋根材が熱伸縮を生じる場合であっても摺動可能に係合され、また、下地等の取付場所が狭い場合であっても取付け易く、しかも簡易な構造の吊子を提供する。【解決手段】屋根材係止片１１を設けた吊子本体１を下地Ｓ上に固定し、前記屋根材係止片１１に屋根材Ｙ、Ｙ’を係止して取付けるための吊子において、前記屋根材係止片１１を上端に設けて断面略Ｌ形状に形成された吊子本体１と、前記吊子本体１の水平板部１２に重合する板状の水平基板２とより構成してなり、前記水平板部１２及び水平基板２の一方にスライド用長孔１３を形成すると共に、他方に挿通孔２１を設けて、これら水平板部１２及び水平基板２が、水平板部１２又は水平基板２に形成したスペーサー凸部３を介して緩やかな状態で重合され、前記吊子本体１をスライド可能にしてなる。【選択図】図１
2008215015.tif 000002
【特許請求の範囲】
【請求項１】
屋根材係止片を設けた吊子本体を屋根の下地上に固定し、前記屋根材係止片に屋根材を係止して取付けるための吊子において、
前記屋根材係止片を上端に設けて断面略Ｌ形状に形成された吊子本体と、
前記吊子本体の水平板部に重合する板状の水平基板とより構成してなり、
前記水平板部及び水平基板の一方にスライド用長孔を形成すると共に、他方に挿通孔を設けて、これら水平板部及び水平基板が、水平板部又は水平基板に形成したスペーサー凸部を介して緩やかな状態で重合され、前記吊子本体をスライド可能にしたことを特徴とする吊子。
【発明の詳細な説明】
【技術分野】
【０００１】
本発明は、屋根材係止片を設けた吊子本体を屋根の下地上に固定し、前記屋根材係止片に屋根材を係止して取付けるための吊子に関する。
【背景技術】
【０００２】
一般に、体育館等の構造物の屋根には、長尺な帯板状の屋根材が葺かれている。
【０００３】
この屋根材を葺くには、屋根の下地上に吊子を固定しておき、この吊子に前記屋根材を係止して取付けてなる。
【０００４】
そのため、従来の吊子は、吊子本体の下端に前記屋根の下地上に固定される固定部を設けると共に、前記吊子本体の上端に屋根材係止片を設けてなる。
【０００５】
そして、前記吊子の固定部を屋根の下地上に固定し、前記屋根材係止片に前記屋根材を係止することによって、屋根材を葺くのである（例えば、特許文献１参照。）。
【０００６】
ところが、前記屋根材（特に、金属製屋根材）は、温度変化によって熱伸縮を生じるため、近年では、前記屋根材を摺動可能に係合させる吊子が開発されつつある（例えば、特許文献２参照。）。
【特許文献１】特許第３６５７９４５号（図４、参照。）
【特許文献２】特願平５−３００３２９号
【発明の開示】
【発明が解決しようとする課題】
【０００７】
この吊子は、平面状の第一連結部と、この両側に下地に固定される固定部とを備えた下部吊子と、屋根材側縁を保持する保持部と、前記第一連結部に対応する第二連結部とを備えた上部吊子からなり、前記第一連結部と第二連結部は相互に幅方向にスライド且つ連結可能なスライド機構に形成してある。
【０００８】
そして、下地に下部吊子を固定し、上部吊子の保持部に左右の屋根材側縁を保持して、この屋根材をスライド可能に接続するものであった。
【０００９】
しかしながら、従来の吊子は、構造が複雑であると共に、第一連結部の両側に固定部を設けた下部吊子を備えているため、大型化するという問題がある。
【００１０】
そのため、例えば、下地の取付場所が狭い場合には、前記吊子の固定部を取り付けできないという問題があった。
【００１１】
本発明は、かかる課題を解決することを目的とするもので、下地等の取付場所が狭い場合であっても取付け易く、しかも簡易な構造の吊子を提供する。
【課題を解決するための手段】
【００１２】
上記目的を達成するため、
本発明に係る吊子は、屋根材係止片を設けた吊子本体を屋根の下地上に固定し、前記屋根材係止片に屋根材を係止して取付けるための吊子において、前記屋根材係止片を上端に設けて断面略Ｌ形状に形成された吊子本体と、前記吊子本体の水平板部に重合する板状の水平基板とより構成してなり、前記水平板部及び水平基板の一方にスライド用長孔を形成すると共に、他方に挿通孔を設けて、これら水平板部及び水平基板が、水平板部又は水平基板に形成したスペーサー凸部を介して緩やかな状態で重合され、前記吊子本体をスライド可能にしたことを特徴とする。
【発明の効果】
【００１３】
本発明に係る吊子によれば、断面略Ｌ形状に形成された吊子本体の水平板部と、板状の水平基板を重合すると共に、これら直立板部及び垂直板部の一方にスライド用長孔を、他方に挿通孔を設け、スペーサー凸部を介して緩やかな状態で重合して両者をスライド自在に固定する構造にしている。
【００１４】
そのため、吊子を極めて簡易な構造で形成できるうえ、例えば、下地等の取付け場所が狭い場合であっても容易に取付けできる。
【発明を実施するための最良の形態】
【００１５】
以下、本発明に係る吊子Ａを図面とともに説明する。
【実施例１】
【００１６】
図１（ａ）は、本発明に係る吊子Ａの一実施例を示した分解斜視図であり、図１（ｂ）は、図１（ａ）を組み付けた状態の斜視図である。図２は、図１で示した吊子Ａの要部断面図である。図３は、図１、２で示した吊子Ａの使用状態図である。
【００１７】
この吊子Ａは、屋根材係止片１１を上端に設けて断面略Ｌ形状に形成された吊子本体１と、この吊子本体１の水平板部１２に重合する板状の水平基板２とより構成してなり、これら水平板部１２及び水平基板２の一方にスライド用長孔１３を形成すると共に、他方に挿通孔２１を設けて、これら水平板部１２及び水平基板２が、水平板部１２又は水平基板２に形成したスペーサー凸部３を介して緩やかな状態で重合され、吊子本体１をスライド可能にしたことを特徴とする。
【００１８】
以下、詳説する。
【００１９】
吊子本体１の水平板部１２には、長手方向にスライド用長孔１３を形成している。
【００２０】
また、屋根材係止片１１は、屋根材Ｙの側端縁を係止可能な形状であれば良く、屋根材Ｙの形状に応じて適宜選択できる。
【００２１】
一方、板状の水平基板２には、スライド用長孔１３に対応する位置にネジ、ビス、アンカー等の固定具４を挿通可能な挿通孔２１を開設している。
【００２２】
また、挿通孔２１の周縁には、水平板部１２の厚みよりも長いスペーサー凸部３を、下方に向けて突出させて形成している。
【００２３】
なお、本実施例では、水平板部１２の長手方向に１つのスライド用長孔１３を形成したものを例示しているが、例えば、水平板部１２の長手方向に間隔をあけて２つのスライド用長孔１３を開設すると共に、これらスライド用長孔１３に対応する位置の水平基板２に、２つのスペーサー凸部３を設けた２つの挿通孔２１を形成することも可能であり、このような、２以上のスライド用長孔１３及びスペーサー凸部３と挿通孔２１を開設することで、水平板部１２と水平基板２を確実に重合することができる。
【００２４】
ここで、「重合する」とは、２枚の板材を重ね合わせたという意味に過ぎず、両板材が固定されて重ね合わされたという意味ではない。
【００２５】
このように形成した水平基板２のスペーサー凸部３を、水平板部１２のスライド用長孔１３に嵌挿し、挿通孔２１に向けてネジ、ビス、アンカー等の固定具４を貫通すると共に、該固定具４を下地Ｓ等に固定する。
【００２６】
そのため、水平板部１２は、スペーサー凸部３と下地Ｓ等に形成された隙間ｔによって、緩やかな状態で重合され、水平板部１２と一体化された吊子本体１は、スライド用長孔１３の範囲において長手方向にスライド可能となる。
【００２７】
以上のように構成した本発明に係る吊子Ａは、以下の要領で使用する。
【００２８】
先ず、既に葺かれた屋根材Ｙの側端縁に、吊子Ａの屋根材係止片１１の一方を係止すると共に、下地Ｓ等に、水平基板２の挿通孔２１を通じて、ネジ、ビス、アンカー等の固定具４を貫通し、水平基板２を下地Ｓ等に固定する。
【００２９】
そして、他の吊子（不図示）を、上記と同要領で、所定間隔をあけて軒棟方向に固定する。
【００３０】
このように屋根材Ｙの側端縁に取付けた複数の吊子Ａの屋根材係止片１１の他方に、他の屋根材Ｙ’の側端縁を各々係止させ、図２中の矢印で示すように、屋根材係止片１１の他方を下方に折り曲げて屋根材Ｙ’の側端縁を係止する。
【００３１】
そして、隣設したこれらの屋根材Ｙ、’Ｙ’を、屋根材係止片１１で係止した後、その上方よりカバー体Ｋを嵌合して、屋根材Ｙ、Ｙ’を下地Ｓ等に葺くのである。
【００３２】
このように取付けた本発明に係る吊子Ａによれば、断面略Ｌ形状に形成された吊子本体１と、板状の水平基板２を、スライド可能にした簡易な構造に形成できると共に、吊子Ａを小型化できる。
【００３３】
そのため、例えば、下地の取付場所が狭い場合であっても、吊子Ａを取り付けできるうえ、屋根材Ｙ、Ｙ’が温度変化によって熱伸縮しても、この熱伸縮率に応じて屋根材Ｙ、Ｙ’を係止した吊子本体１の水平板部１２が、水平基板２に対してスライドして、屋根材Ｙ、Ｙ’を撓めることなく確実に支持できる。
【実施例２】
【００３４】
図４（ａ）、（ｂ）は、本発明に係る吊子Ａの他の実施例を示した要部の部分断面図である。
【００３５】
なお、図１〜３と共通する部位には、同一の符号を付して重複する説明を省略し、以下では、各実施例の特徴についてのみ説明する。
【００３６】
これらの吊子Ａは、スペーサー凸部３を介して、水平板部１２と下地Ｓ等に隙間ｔを形成して、水平板部１２が緩やかな状態で重合され、水平板部１２と一体化された吊子本体１は、スライド用長孔１３の範囲において長手方向にスライド可能にしている点では、図１〜３と同じであるが、スペーサー凸部３の固定構造が異なるものを例示している。
【００３７】
図４（ａ）は、挿通孔２１の下方に突出されたスペーサー凸部３が、その下端縁をスライド用長孔１３の下端縁に巻き込むようにカシメ止めして鍔部３１を形成している。
【００３８】
図４（ｂ）は、挿通孔２１の下方に突出されたスペーサー凸部３が、その下端縁をスライド用長孔１３の下端縁に巻き込むようにバーリング加工して鍔部３１を形成している。
【００３９】
本実施例によれば、図１〜３で示したような、スペーサー凸部３の下端面を下地Ｓ等に当接させずに、鍔部３１の下端面を下地Ｓ等に当接することができ、水平板部１２と一体化された吊子本体１を、より確実に重合できる。
【００４０】
なお、本実施例では、水平板部１２にスライド用長孔１３を形成すると共に、水平基板２に挿通孔２１を開設して、両者をスライド自在に固定した構造を例示したが、この構造とは逆の構造、すなわち、水平基板２にスライド用長孔１３を形成すると共に、水平板部１２に挿通孔２１を設けて両者をスライド自在に固定した構造であっても、前記同様の効果を得ることができる。
【図面の簡単な説明】
【００４１】
【図１】（ａ）は、本発明に係る吊子Ａの一実施例を示した分解斜視図であり、（ｂ）は、図１（ａ）を組み付けた状態の斜視図である。
【図２】図１で示した吊子Ａの要部を示した部分断面図である。
【図３】図１、２で示した吊子Ａの使用状態図である。
【図４】（ａ）、（ｂ）は、本発明に係る吊子Ａの他の実施例を示した要部の部分断面図である。
【符号の説明】
【００４２】
Ａ    吊子
Ｙ、Ｙ’屋根材
Ｓ    下地
１    吊子本体
１１  屋根材係止片
１２  水平板部
１３  スライド用長孔
２    水平基板
３    スペーサー凸部
【図１】
2008215015.tif 000003
【図２】
2008215015.tif 000004
【図３】
2008215015.tif 000005
【図４】
2008215015.tif 000006